(57)【特許請求の範囲】
【請求項１】
汚水処理槽の内部に流水方向に伸びる隔壁を複数本設け、流水方向と交差する線上に、それぞれの隔壁に固定パイプを固定し、長手方向に汚水流出用の隙間を設けた隙間パイプを、対向する固定パイプに回動自在に支持させ、隙間パイプに回動機構を連設し、所定時間に隙間を流出位置に回動して汚水を流れ込ませ、汚水の水位低下を検出して隙間を流出を阻止する位置に回動させるべくした、スカム排出装置の水位検知装置において、隙間パイプにセクタギヤを固定し、これに噛み合うピニオンを、固定部材に設けた固定軸に軸支させ、汚水の水位を検出して回動機構を作動させる水位センサの接触子を、ピニオンと一体に設けたことを特徴とする、スカム排出装置の水位検知装置。
【発明の詳細な説明】
【０００１】
【発明の属する技術分野】
本発明は、屎尿を含む生活排水を汚水として流入させながら、汚水中の汚物を沈殿、分解させるようにした汚水処理槽において、汚水の水面に浮遊しているスカムと称する浮遊物を、汚水の流れ方向と交差する方向に排出する装置に関する。このような汚水処理槽においては、汚水の表面にはスカムが発生して成長し、槽壁や付属設備に付着して除去が極めて困難になるため、早期に横方向に排出して別途処理をしている。
【０００２】
【従来の技術】
従来のスカム排出装置においては、汚水の流れに対して上流側を向く隙間を設けた回動可能の隙間パイプを、多数横方向に連続的に設置し、各隙間パイプの隙間を定期的に順次水面まで下降させてスカムを流出させ、水位が隙間下部まで低下したとき、隙間を水面上に上昇させて流出を停止させるようにしている。
【０００３】
そして、汚水の水位を検出する手段として、従来の装置においては、下向きの接触子をもつ水位センサを、箱形のガイド兼波除けの中で上下動するようにチェーンで吊るし、隙間パイプの隙間を流出位置に回動させると同時に接触子を水面検出位置に下げ、スカムが流出して水面が検出位置まで低下したとき隙間パイプを流出阻止位置に戻し、水位センサを上方位置に戻すようにしている。
【０００４】
この装置にあっては、水位センサと箱形のガイド兼波除けの間に汚物が詰まりやすく、汚水処理槽の作動が妨害されることがある上に、水位センサと箱形の部材の間の空間が小さいため清掃するのが困難であり、更に、水位センサを移動させるチェーンに伸びが生じることがあり、これにより隙間パイプの作動が不正確になる不都合があった。
【０００５】
【発明が解決しようとする課題】
本発明は、前記の従来装置を改善して、掃除が簡単にでき作動が確実な装置を得ることを課題とする。
【０００６】
【課題を解決するための手段】
前記の課題の解決手段は、請求項１に記載したとおり、汚水処理槽の内部に流水方向に伸びる隔壁を複数本設け、流水方向と交差する線上に、それぞれの隔壁に固定パイプを固定し、長手方向に汚水流出用の隙間を設けた隙間パイプを、対向する固定パイプに回動自在に支持させ、隙間パイプに回動機構を連設し、所定時間に隙間を流出位置に回動して汚水を流れ込ませ、汚水の水位低下を検出して隙間を流出を阻止する位置に回動させるべくした、スカム排出装置の水位検知装置において、隙間パイプにセクタギヤを固定し、これに噛み合うピニオンを、固定部材に設けた固定軸に軸支させ、汚水の水位を検出して回動機構を作動させる水位センサの接触子を、ピニオンと一体に設けたことを特徴とする。
【０００７】
この手段によれば、隙間パイプと水位センサは、セクタギヤとピニオンで連動しているから、両者の位置に狂いが生じることがなく、隙間パイプは正確に回動する。また、機構が簡単で清掃も容易である。
【０００８】
【発明の実施の形態】
以下、図面を参照して本発明の実施の形態を説明する。図１において、１は汚水処理槽であり、２は隔壁であり、この隔壁２は、矢印Ａで示す汚水の流れ方向に平行に複数本設けられている。３はスカム排出装置で、流れ方向Ａと交差して設置されており、このスカム排出装置３は、図２に示すように複数個の隙間ユニット４を連続させてなるもので、槽の中央を分水嶺としてここに位置するパイプから、両側へ５度程度の下り勾配をつけて配置され、最下流の隙間ユニット４は、図１に３ａで示す位置で汚水処理槽１外に開口している。
【０００９】
隙間ユニット４は、一対の隔壁２、２間に設けられ、隔壁２に埋設した取り付け部に固定パイプ５と受けパイプ６が固定され、各受けパイプ６には回動パイプ７が回動自在に支持され、回動パイプ７、７間に、隙間８ａを長手方向に開けた隙間パイプ８がフランジ部９で連結されている。図３に示すように前記フランジ部９は、更に隙間パイプ制御装置１０に設けた上下動するスピンドル１０ａにリンク機構１０ｂで接続されている。スピンドル１０ａは、モータ１０ｃで駆動され、スピンドル軸受１０ｄに案内されて上下動する。
【００１０】
汚水の排出限度の水位は、図４、５に示す水位センサ１１によって検出される。隙間パイプ８のフランジ部９には、前記リンク機構１０ｂが接続される他にセクタギヤ１３が固定され、ピニオン１４と噛み合って歯車式水位検知装置を構成している。図５において、固定部材である受けパイプ６にピニオン軸１５がアーム１５ａを介して固定され、ピニオン１４と一体のスリーブ１６が回転自在に支持され、止め座金１７で保持されている。このスリーブ１６に前記水位センサ１１がアーム１１ａを介して固定され、接触子１２が下向きになった検出位置と横向きになった退避位置に回動される。なお、水位センサ１１は、誤動作を防止するために先端位置が僅かに異なる２本の接触子１２を備えている。
【００１１】
常時は、水位センサ１１は図４に仮想線で示す退避位置にあり、隙間パイプ８の隙間８ａは、最上位置の阻止位置にある。定期的にタイマが作動して、又は人力で任意に隙間パイプ制御装置１０のスピンドル１０ａを上げると、隙間パイプ８は、矢印Ｂ方向に回動して図４の実線位置になり、隙間８ａの隙間下縁８ａ１は、水面Ｌ１より下がり、スカムがＡ１方向に流れ込み、次位のパイプへ流れ出る。このときセクタギヤ１３もＢ方向に回動するから、ピニオン１４は時計方向に回動され、水位センサ１１は実線位置に下がり、接触子１２は下向きになり、その下端は、水面Ｌ１より下にくる。
【００１２】
スカムの排出が進んで水面が接触子１２より下のＬ２になると、水位センサ１１で発生する信号により、隙間パイプ制御装置１０のスピドル１０ａが下がり、隙間パイプ８を矢印Ｃ方向に回動させて隙間８ａを仮想線の位置に上昇させ、セクタギヤ１３とピニオン１４の連動により水位センサ１１も仮想線の位置に上昇する。一線状に配置された各隙間ユニット４の複数の隙間パイプ８は、制御装置１０により、槽の中央側から時間差をおいて隙間８ａを下げたのち上昇させる動作を行ない、外端に配置したパイプからスカムを槽外に流出させ、この動作を適宜の間隔で繰り返す。
【００１３】
【発明の効果】
以上のとおり、本発明においては、隙間パイプの回動をセクタギヤとピニオンが噛み合う歯車式の装置で水位センサに伝えるから、動作が確実に伝達されて水位センサが正確な信号を伝達する利点があり、また全体が水面上に露出し、構造が簡単であるから、汚物が付着しても清掃が容易にできる利点がある。
【図面の簡単な説明】
【図１】本発明を実施する汚水処理槽の平面図
【図２】隔壁の正面図
【図３】隙間パイプ制御装置説明図
【図４】水位検知装置の正面図
【図５】同じく側面図
【符号の説明】
１  汚水処理槽                  ４  隙間ユニット
５  固定パイプ                  ６  受けパイプ
７  回動パイプ                  ８  隙間パイプ
８ａ  隙間                        ９  フランジ部
１０  隙間パイプ制御装置        １１  水位センサ
１２  接触子                    １３  セクタギヤ
１４  ピニオン
【図１】
0003607216.tif 000002
【図２】
0003607216.tif 000003
【図３】
0003607216.tif 000004
【図４】
0003607216.tif 000005
【図５】
0003607216.tif 000006